(57)【特許請求の範囲】
【請求項１】
移動通信端末のハンドオーバの規制制御システムであって、移動通信端末の事業者ＩＤに基づいて、当該移動通信端末のアクセス許容／禁止エリアを予め登録したデータベースを、基地局制御装置に設け、
前記データベースを参照してハンドオーバの規制制御をなすことを特徴とするハンドオーバ規制制御システム。
【請求項２】
前記データベースには、前記移動通信端末の事業者ＩＤ毎に、前記アクセス許容／禁止エリア（ＬＡ：Location Area ）が登録されていることを特徴とする請求項１記載のハンドオーバ規制制御システム。
【請求項３】
前記データベースには、前記エリアを特定するエリアＩＤ毎に、アクセスが許容／禁止されている前記移動通信端末の事業者ＩＤが登録されていることを特徴とする請求項１記載のハンドオーバ規制制御システム。
【請求項４】
前記データベースには、前記移動通信端末の事業者ＩＤ毎に、アクセスが許容／禁止されている事業者ＩＤが登録されていることを特徴とする請求項１記載のハンドオーバ規制制御システム。
【請求項５】
前記データベースには、前記移動通信端末の事業者ＩＤ毎に、アクセスが許容／禁止されているセルが登録されていることを特徴とする請求項１記載のハンドオーバ規制制御システム。
【請求項６】
前記データベースには、セル毎に、アクセスが許容／禁止されている前記移動通信端末の事業者ＩＤが登録されていることを特徴とする請求項１記載のハンドオーバ規制制御システム。
【請求項７】
請求項１〜６いずれか記載のハンドオーバ規制制御システムを有することを特徴とする基地局制御装置。
【請求項８】
移動通信端末のハンドオーバ規制制御方法であって、基地局制御装置に設けられ、移動通信端末の事業者ＩＤに基づいて当該移動通信端末のアクセス許容／禁止エリアを予め登録したデータベースを参照して、ハンドオーバの規制制御をなすステップを含むことを特徴とするハンドオーバ規制制御方法。
【請求項９】
移動通信端末のハンドオーバ規制制御方法をコンピュータに実行させるためのプログラムであって、基地局制御装置に設けられ、移動通信端末の事業者ＩＤに基づいて当該移動通信端末のアクセス許容／禁止エリアを予め登録したデータベースを参照して、ハンドオーバの規制制御をなす処理を含むことを特徴とするプログラム。
【発明の詳細な説明】
【技術分野】
【０００１】
本発明はハンドオーバ規制制御システム及びその方法並びにそれを用いた基地局制御装置に関し、特に移動通信端末の特定エリアへのハンドオーバを規制制御する方式の改良に関するものである。
【背景技術】
【０００２】
移動通信システムにおいては、移動通信端末（ＵＥ）の移動によるハンドオーバが必要になるが、ＵＥが特定エリアへ入った場合には、ハントオーバを規制することも必要となる。移動通信システム方式の一つであるＵＭＴＳ（Universal Mobile Telecommunications System) の規格では、移動通信端末（ＵＥ）が、アクセス可能な事業者ＩＤ（ＰＬＭＮ（Public Land Mobile Network）−ＩＤ）のリストを保持し、このリストに含まれるＰＬＭＮ−ＩＤのセルに対してのみ位置登録処理を行う仕組みは用意されてはいるが、この仕組みによって、通信中であるＵＥのハンドオーバを規制することはできない。
【０００３】
また、ＵＥ毎に、アクセス可能なシェアードネットワークエリア（ＳＮＡ／位置登録エリア（ＬＡ：Location Area ）の集合体）のリストを、コアネットワーク（ＣＮ）から基地局制御装置（ＲＮＣ）に通知してもらい、この情報を元にＲＮＣがＵＥのハンドオーバやアクセスを特定のエリアに規制する手順は、ＵＭＴＳの規格で標準化されている。しかし、この仕組みは、ＲＮＣ単独で実現することは不可能であり、ＣＮでもＳＮＡをＵＥ毎に定義し、ＲＮＣに通知する機能が必要となる（特許文献１参照）。また、この仕組みでは、ＬＡよりも狭いエリアでＵＥのアクセスを規制することは不可能である。
【０００４】
一方、ＭＶＮＯ（Mobile Virtual Network Operator ）の登場等により、１つのＵＭＴＳネットワークの特定のエリアを、一部のユーザにのみ利用可能にすることが今後要求されると予想される。また、複数の事業者のＧＳＭ（Global System for Mobile communications ）ネットワークが既に用意されているエリアで、ＵＭＴＳネットワークを新たに用意するケースも多々あるため、ユーザのローミング契約に基づき、ＵＭＴＳからＧＳＭにＵＥをハンドオーバさせる際に、ユーザ毎に異なるＧＳＭネットワークにハンドオーバさせることも要求される。
【０００５】
なお、ＰＨＳ方式の移動通信システムのハンドオーバ規制方式の例が、特許文献２に開示されている。この方式では、ＣＮである電子交換機において、予め指定された特定エリアに対してハンドオーバの規制をなすものである。
【０００６】
【特許文献１】特表２００４−５１９１７９号公報
【特許文献２】特開平１０−３２７４５１号公報
【発明の開示】
【発明が解決しようとする課題】
【０００７】
上述したように、ＲＮＣはＣＮ側からＵＥのハンドオーバを規制するための情報を取得することが必要であり、ＲＮＣ単独でハンドオーバのエリアの規制を行うことができないという問題がある。また、ＵＥの事業者ＩＤ（ＰＬＭＮ−ＩＤ）に基づいて選択的にハンドオーバ規制制御をなすこともできないという問題もある。
【０００８】
本発明の目的は、ＵＥの事業者ＩＤ（ＰＬＭＮ−ＩＤ）に基づいて、ＲＮＣの情報のみを用いてＵＥのハンドオーバの規制制御を可能としたハンドオーバ規制制御システム及びその方法並びにそれを用いた基地局制御装置を提供することである。
【課題を解決するための手段】
【０００９】
本発明によるハンドオーバ規制制御システムは、移動通信端末のハンドオーバの規制制御システムであって、移動通信端末の事業者ＩＤに基づいて、当該移動通信端末のアクセス許容／禁止エリアを予め登録したデータベースを、基地局制御装置に設け、前記データベースを参照してハンドオーバの規制制御をなすことを特徴とする。
【００１０】
本発明によるハンドオーバ規制制御方法は、移動通信端末のハンドオーバ規制制御方法であって、基地局制御装置に設けられ、移動通信端末の事業者ＩＤに基づいて当該移動通信端末のアクセス許容／禁止エリアを予め登録したデータベースを参照して、ハンドオーバの規制制御をなすステップを含むことを特徴とする。
【００１１】
本発明による基地局制御装置は、上記のハンドオーバ規制制御システムを含むことを特徴とする。
【００１２】
本発明によるプログラムは、移動通信端末のハンドオーバ規制制御方法をコンピュターに実行させるためのプログラムであって、基地局制御装置に設けられ、移動通信端末の事業者ＩＤに基づいて当該移動通信端末のアクセス許容／禁止エリアを予め登録したデータベースを参照して、ハンドオーバの規制制御をなす処理を含むことを特徴とする。
【発明の効果】
【００１３】
本発明によれば、ＵＥのＰＬＭＮ−ＩＤに基づいてアクセス可能なエリアを登録するためのデータベースを、予めＲＮＣにて用意しておくようにしたので、ＲＮＣの情報のみを用いてＵＥのハンドオーバを特定のエリアに対して規制可能とすることができるという効果がある。
【発明を実施するための最良の形態】
【００１４】
以下に、図面を参照しつつ本発明の実施例について説明する。図１は本発明の実施例が適用されるシステム構成図である。本実施例のシステム構成には、ＵＭＴＳのコアネットワーク（ＣＮ）、基地局制御装置（ＲＮＣ）、基地局（ＮｏｄｅＢ）、セル、端末（ＵＥ）、及びＧＳＭのコアネットワーク（ＣＮ）、基地局制御装置（ＢＳＣ：Base Station Cotroller）、基地局（ＢＴＳ：Base Transceiver Station）が含まれるものとする。
【００１５】
図１を参照すると、ＣＮ４００は事業者ＡのＣＮであり、ＲＮＣ１０が接続されている。ＣＮ４１０は事業者ＢのＣＮであり、ＲＮＣ２０が接続されている。ＣＮ４２０は事業者ＣのＣＮであり、ＢＳＣ３０が接続されている。ＲＮＣ１０はＮｏｄｅＢ３００、ＮｏｄｅＢ３１０を制御する。ＮｏｄｅＢ３００はセル１００、セル１１０、セル１２０を制御する。ＮｏｄｅＢ３１０はセル１３０を制御する。ＲＮＣ２０はＮｏｄｅＢ３２０、ＮｏｄｅＢ３３０を制御する。ＮｏｄｅＢ３２０はセル１４０、セル１５０を制御する。ＢＳＣ３０はＢＴＳ３３０を制御し、ＢＴＳ３３０はセル１６０、セル１７０を制御する。
【００１６】
セル１３０に対して、セル１２０、セル１４０、セル１６０が隣接しており、ＵＥ２００がセル１３０で通信中であった場合、ＵＥはセル１２０、セル１４０、セル１６０にハンドオーバ可能であるものとする。
【００１７】
また、各セルとＰＬＭＮ−ＩＤ、位置登録エリアＩＤ（ＬＡＩ）との関係は以下の通りであるものとする。
ＰＬＭＮ−ＩＤ  Ａ：セル１００、セル１１０、セル１２０、セル１３０
ＰＬＭＮ−ＩＤ  Ｂ：セル１４０、セル１５０
ＰＬＭＮ−ＩＤ  Ｃ：セル１６０、セル１７０
ＬＡＩ＃１：セル１００、セル１１０、セル１２０
ＬＡＩ＃２：セル１３０
ＬＡＩ＃３：セル１４０、セル１５０
ＬＡＩ＃４：セル１６０、セル１７０
【００１８】
本実施例では、ＲＮＣ１０において、図２に示す様に、ＵＥのハンドオーバを制御するためのデータベース１１を用意する。図２においては、ＲＮＣ１０の概略機能ブロック図を示しており、このデータベース１１を参照するためのデータベース参照部１２と、この参照結果に基づいてハンドオーバ規制判定をなすハンドオーバ規制判定部１３と、ハンドオーバ処理をなすハンドオーバ処理部１４とを含んでいる。
【００１９】
図３〜１２はデータベース１１の内容の例をそれぞれ示す図であり、このデーベースの内容に応じて以下に本発明の実施例について説明する。まず、図３を参照すると本発明の第１の実施例のデーベースの内容が示されており、ＵＥのＰＬＭＮ−ＩＤ毎に、ＵＥがアクセス可能なＬＡＩが登録されている。
【００２０】
図１において、ＲＮＣ１０がＵＥ２００のハンドオーバ処理を制御する際、ＲＮＣ１０のデーベース参照部１２によりこのデータベース１１を参照し、この参照結果に基づいて、ハンドオーバ規制判定部１３は、ＵＥ２００がアクセス可能なエリアを予め判断する。
【００２１】
ＵＥ２００がセル１３０に在圏して通信中の場合に、セル１２０、セル１４０、セル１６０が隣接しているが、ＵＥ２００のＰＬＭＮ−ＩＤに基づき、ＲＮＣ１０は以下の通りハンドオーバを規制する。
【００２２】
ＵＥ２００のＰＬＭＮ−ＩＤがＸであった場合、図３のデータベースによりＵＥ２００のアクセス可能なＬＡＩは＃１，＃２，＃３に限定されるために、ＲＮＣ１０はＵＥ２００をセル１６０にハンドオーバさせないよう規制する。
ＵＥ２００のＰＬＭＮ−ＩＤがＹであった場合、図３のデータベースによりＵＥ２００のアクセス可能なＬＡＩは＃２，＃３に限定されるために、ＲＮＣ１０はＵＥ２００をセル１２０、１６０にハンドオーバさせないよう規制する。
ＵＥ２００のＰＬＭＮ−ＩＤがＺであった場合、図３のデータベースによりＵＥ２００のアクセス可能なＬＡＩは＃２，＃４に限定されるために、ＲＮＣ１０はＵＥ２００をセル１２０、１４０にハンドオーバさせないよう規制する。
【００２３】
本実施例の効果としては、ＲＮＣは、ＣＮからハンドオーバを規制するための情報を取得することなく、ＲＮＣ単独でハンドオーバするエリアを規制することができる。また、ＵＥのＰＬＭＮ−ＩＤ毎に、ハンドオーバ可能なエリアを規制することができる。更に、ＵＥのハンドオーバ可能なエリアを、位置登録エリア（ＬＡ）単位で規制することができる。
【００２４】
本発明の第２の実施例として、その基本的構成は先の実施例の通りであるが、ＲＮＣ１０で用意するデータベース１１の内容を工夫している。本例では、ＲＮＣ１０における、ＵＥのハンドオーバを制御するためのデータベース１１の内容が図４に示されている。このデータベースでは、ＵＥのＰＬＭＮ−ＩＤ毎に、ＵＥのアクセスを禁止するＬＡＩを登録するようにする。
【００２５】
図１において、ＲＮＣ１０がＵＥ２００のハンドオーバ処理を制御する際、図４のデータベースを参照し、ＵＥ２００がアクセス可能なエリアを予め判断する。ＵＥ２００がセル１３０に在圏して通信中の場合に、セル１２０、セル１４０、セル１６０が隣接しているが、ＵＥ２００のＰＬＭＮ−ＩＤに基づき、ＲＮＣ１０は以下の通りハンドオーバを規制する。
【００２６】
ＵＥ２００のＰＬＭＮ−ＩＤがＸであった場合、図４のデータベースによりＵＥ２００はＬＡＩ＃１へのアクセスを規制されるため、ＲＮＣ１０はＵＥ２００をセル１２０にハンドオーバさせないよう規制する。
ＵＥ２００のＰＬＭＮ−ＩＤがＹであった場合、図４のデータベースによりＵＥ２００はＬＡＩ＃３へのアクセスを規制されるため、ＲＮＣ１０はＵＥ２００をセル１４０にハンドオーバさせないよう規制する。
ＵＥ２００のＰＬＭＮ−ＩＤがＺであった場合、図４のデータベースによりＵＥ２００はＬＡＩ＃４へのアクセスを規制されるため、ＲＮＣ１０はＵＥ２００をセル１６０にハンドオーバさせないよう規制する。
【００２７】
本実施例の効果としては、第１の実施例の効果に加えて、ＵＥのアクセスを禁止するＬＡＩを登録するようにしているために、アクセスを規制したいエリアが一部に限定されている場合、データベースに登録するＬＡＩが少なくて済む。
【００２８】
本発明の第３の実施例として、その基本的構成は先の実施例の通りであるが、ＲＮＣ１０で用意するデータベースを工夫している。本例では、ＲＮＣ１０におけるデータベースの内容が図５に示されている。このデータベースでは、セルのＬＡＩ毎に、アクセスが許容されているＵＥのＰＬＭＮ−ＩＤを登録するようにする。
【００２９】
図１において、ＲＮＣ１０がＵＥ２００のハンドオーバ処理を制御する際、図５のデータベースを参照し、ＵＥ２００がアクセス可能なエリアを予め判断する。ＵＥ２００がセル１３０に在圏して通信中の場合、セル１２０、セル１４０、セル１６０が隣接しているが、ＵＥ２００のＰＬＭＮ−ＩＤに基づき、ＲＮＣ１０は以下の通りハンドオーバを規制する。
【００３０】
ＵＥ２００のＰＬＭＮ−ＩＤがＸであった場合、図５のデータベースによりＵＥ２００はＬＡＩ＃４へのアクセスを規制されるため、ＲＮＣ１０はＵＥ２００をセル１６０にハンドオーバさせないよう規制する。
ＵＥ２００のＰＬＭＮ−ＩＤがＹであった場合、図５のデータベースによりＵＥ２００はＬＡＩ＃３へのアクセスを規制されるため、ＲＮＣ１０はＵＥ２００をセル１４０にハンドオーバさせないよう規制する。
ＵＥ２００のＰＬＭＮ−ＩＤがＺであった場合、図５のデータベースによりＵＥ２００はＬＡＩ＃１へのアクセスを規制されるため、ＲＮＣ１０はＵＥ２００をセル１２０にハンドオーバさせないよう規制する。
【００３１】
本実施例では、第１の実施例の効果とほぼ同等の効果が得られる。
【００３２】
本発明の第４の実施例として、その基本的構成は先の実施例の通りであるが、ＲＮＣ１０で用意するデータベースを工夫している。本例では、ＲＮＣ１０におけるデータベースの内容が図６に示されている。このデータベースでは、セルのＬＡＩ毎に、アクセスが禁止されているＵＥのＰＬＭＮ−ＩＤを登録するようにする。
【００３３】
図１において、ＲＮＣ１０がＵＥ２００のハンドオーバ処理を制御する際、図６のデータベースを参照し、ＵＥ２００がアクセス可能なエリアを予め判断する。ＵＥ２００がセル１３０に在圏して通信中の場合、セル１２０、セル１４０、セル１６０が隣接しているが、ＵＥ２００のＰＬＭＮ−ＩＤに基づき、ＲＮＣ１０は以下の通りハンドオーバを規制する。
【００３４】
ＵＥ２００のＰＬＭＮ−ＩＤがＸであった場合、図６のデータベースによりＵＥ２００はＬＡＩ＃１，ＬＡＩ＃３へのアクセスを規制されるため、ＲＮＣ１０はＵＥ２００をセル１２０、セル１４０にハンドオーバさせないよう規制する。
ＵＥ２００のＰＬＭＮ−ＩＤがＹであった場合、図６のデータベースによりＵＥ２００はＬＡＩ＃１，ＬＡＩ＃４へのアクセスを規制されるため、ＲＮＣ１０はＵＥ２００をセル１２０、セル１６０にハンドオーバさせないよう規制する。
ＵＥ２００のＰＬＭＮ−ＩＤがＺであった場合、図６のデータベースによりＵＥ２００はＬＡＩ＃３，ＬＡＩ＃４へのアクセスを規制されるため、ＲＮＣ１０はＵＥ２００をセル１４０、セル１６０にハンドオーバさせないよう規制する。
【００３５】
本実施例では、第２の実施例の効果とほぼ同等の効果が得られる。
【００３６】
本発明の第５の実施例として、その基本的構成は先の実施例の通りであるが、ＲＮＣ１０で用意するデータベースを工夫している。本例では、ＲＮＣ１０におけるデータベースの内容が図７に示されている。このデータベースでは、ＵＥのＰＬＭＮ−ＩＤ毎に、アクセスが許容されているセルのＰＬＭＮ−ＩＤを登録するようにする。
【００３７】
図１において、ＲＮＣ１０がＵＥ２００のハンドオーバ処理を制御する際、図７のデータベースを参照し、ＵＥ２００がアクセス可能なエリアを予め判断する。ＵＥ２００がセル１３０に在圏して通信中の場合、セル１２０、セル１４０、セル１６０が隣接しているが、ＵＥ２００のＰＬＭＮ−ＩＤに基づき、ＲＮＣ１０は以下の通りハンドオーバを規制する。
【００３８】
ＵＥ２００のＰＬＭＮ−ＩＤがＸであった場合、図７のデータベースによりＵＥ２００はＰＬＭＮ−ＩＤ  Ｃへのアクセスを規制されるため、ＲＮＣ１０はＵＥ２００をセル１６０にハンドオーバさせないよう規制する。
ＵＥ２００のＰＬＭＮ−ＩＤがＹであった場合、図７のデータベースによりＵＥ２００はＰＬＭＮ−ＩＤ  Ｂへのアクセスを規制されるため、ＲＮＣ１０はＵＥ２００をセル１４０にハンドオーバさせないよう規制する。
ＵＥ２００のＰＬＭＮ−ＩＤがＺであった場合、図７のデータベースによりＵＥ２００はＰＬＭＮ−ＩＤ  Ｂ，Ｃへのアクセスを規制されるため、ＲＮＣ１０はＵＥ２００をセル１４０、セル１６０にハンドオーバさせないよう規制する。
【００３９】
本例の効果としては、ＲＮＣは、ＣＮからハンドオーバを規制するための情報を取得せずに、ＲＮＣ単独でハンドオーバするエリアを規制することができる。また、ＵＥのＰＬＭＮ−ＩＤ毎に、ハンドオーバ可能なエリアを規制することができる。更に、ＵＥのハンドオーバ可能なエリアを、ＰＬＭＮ−ＩＤ単位で規制することができる。
【００４０】
本発明の第６の実施例として、その基本的構成は先の実施例の通りであるが、ＲＮＣ１０で用意するデータベースを工夫している。このデータベースの内容は図８に示されている。このデータベースでは、ＵＥのＰＬＭＮ−ＩＤ毎に、アクセスが禁止されているセルのＰＬＭＮ−ＩＤを登録するようにする。
【００４１】
図１において、ＲＮＣ１０がＵＥ２００のハンドオーバ処理を制御する際、図８のデータベースを参照し、ＵＥ２００がアクセス可能なエリアを予め判断する。ＵＥ２００がセル１３０に在圏して通信中の場合、セル１２０、セル１４０、セル１６０が隣接しているが、ＵＥ２００のＰＬＭＮ−ＩＤに基づき、ＲＮＣ１０は以下の通りハンドオーバを規制する。
【００４２】
ＵＥ２００のＰＬＭＮ−ＩＤがＸであった場合、図８のデータベースによりＵＥ２００はＰＬＭＮ−ＩＤ  Ｃへのアクセスを規制されるため、ＲＮＣ１０はＵＥ２００をセル１６０にハンドオーバさせないよう規制する。
ＵＥ２００のＰＬＭＮ−ＩＤがＹであった場合、図８のデータベースによりＵＥ２００はＰＬＭＮ−ＩＤ  Ｂへのアクセスを規制されるため、ＲＮＣ１０はＵＥ２００をセル１４０にハンドオーバさせないよう規制する。
ＵＥ２００のＰＬＭＮ−ＩＤがＺであった場合、図８のデータベースによりＵＥ２００はＰＬＭＮ−ＩＤ  Ｂ，Ｃへのアクセスを規制されるため、ＲＮＣ１０はＵＥ２００をセル１４０、セル１６０にハンドオーバさせないよう規制する。
【００４３】
本例の効果としては、第５の実施例の効果に加えて、ＵＥのアクセスを禁止するセルのＰＬＭＮ−ＩＤを登録しているために、アクセスを規制したいＰＬＭＮ−ＩＤが一部に限定されている場合、データベースに登録するＰＬＭＮ−ＩＤが少なくて済むことになる。
【００４４】
本発明の第７の実施例として、その基本的構成は先の実施例の通りであるが、ＲＮＣ１０で用意するデータベースを工夫している。このデータベースの内容は図９に示されている。このデータベースでは、ＵＥのＰＬＭＮ−ＩＤ毎に、ＵＥのアクセスを許容するセルを登録するようにする。
【００４５】
図１において、ＲＮＣ１０がＵＥ２００のハンドオーバ処理を制御する際、図９のデータベースを参照し、ＵＥ２００がアクセス可能なエリアを予め判断する。ＵＥ２００がセル１３０に在圏して通信中の場合、セル１２０、セル１４０、セル１６０が隣接しているが、ＵＥ２００のＰＬＭＮ−ＩＤに基づき、ＲＮＣ１０は以下の通りハンドオーバを規制する。
【００４６】
ＵＥ２００のＰＬＭＮ−ＩＤがＸであった場合、図９のデータベースによりＵＥ２００はセル１６０へのアクセスを規制されるために、ＲＮＣ１０はＵＥ２００をセル１６０にハンドオーバさせないよう規制する。
ＵＥ２００のＰＬＭＮ−ＩＤがＹであった場合、図９のデータベースによりＵＥ２００はセル１２０、セル１６０へのアクセスを規制されるために、ＲＮＣ１０はＵＥ２００をセル１２０、セル１６０にハンドオーバさせないよう規制する。
ＵＥ２００のＰＬＭＮ−ＩＤがＺであった場合、図９のデータベースによりＵＥ２００はセル１２０、セル１４０へのアクセスを規制されるため、ＲＮＣ１０はＵＥ２００をセル１２０、セル１４０にハンドオーバさせないよう規制する。
【００４７】
本例の効果としては、ＲＮＣは、ＣＮからハンドオーバを規制するための情報を取得せずに、ＲＮＣ単独でハンドオーバするエリアを規制することができる。また、ＵＥのＰＬＭＮ−ＩＤ毎に、ハンドオーバ可能なエリアを規制することができる。更に、ＵＥのハンドオーバ可能なエリアをセル単位で規制することができる。
【００４８】
本発明の第８の実施例として、その基本的構成は先の実施例の通りであるが、ＲＮＣ１０で用意するデータベースを工夫している。このデータベースの内容は図１０に示されている。このデータベースでは、ＵＥのＰＬＭＮ−ＩＤ毎に、ＵＥのアクセスを禁止するセルを登録するようにする。
【００４９】
図１において、ＲＮＣ１０がＵＥ２００のハンドオーバ処理を制御する際、図１０のデータベースを参照し、ＵＥ２００がアクセス可能なエリアを予め判断する。ＵＥ２００がセル１３０に在圏して通信中の場合、セル１２０、セル１４０、セル１６０が隣接しているが、ＵＥ２００のＰＬＭＮ−ＩＤに基づき、ＲＮＣ１０は以下の通りハンドオーバを規制する。
【００５０】
ＵＥ２００のＰＬＭＮ−ＩＤがＸであった場合、図１０のデータベースによりＵＥ２００はセル１２０へのアクセスを規制されるために、ＲＮＣ１０はＵＥ２００をセル１２０にハンドオーバさせないよう規制する。
ＵＥ２００のＰＬＭＮ−ＩＤがＹであった場合、図１０のデータベースによりＵＥ２００はセル１４０へのアクセスを規制されるために、ＲＮＣ１０はＵＥ２００をセル１４０にハンドオーバさせないよう規制する。
ＵＥ２００のＰＬＭＮ−ＩＤがＺであった場合、図１０のデータベースによりＵＥ２００はセル１６０へのアクセスを規制されるために、ＲＮＣ１０はＵＥ２００をセル１６０にハンドオーバさせないよう規制する。
【００５１】
本例の効果としては、第７の実施例の効果に加えて、ＵＥのアクセスを禁止するセルをＵＥのＰＬＭＮ−ＩＤ毎に登録するため、アクセスを規制したいセルが一部に限定されている場合、データベースに登録するセル数が少なくて済む。
【００５２】
本発明の第９の実施例として、その基本的構成は先の実施例の通りであるが、ＲＮＣ１０で用意するデータベースを工夫している。このデータベースの内容は図１１に示されている。このデータベースでは、セル毎に、アクセスが許容されているＵＥのＰＬＭＮ−ＩＤを登録するようにする。
【００５３】
図１において、ＲＮＣ１０がＵＥ２００のハンドオーバ処理を制御する際、図１１のデータベースを参照し、ＵＥ２００がアクセス可能なエリアを予め判断する。ＵＥ２００がセル１３０に在圏して通信中の場合、セル１２０、セル１４０、セル１６０が隣接しているが、ＵＥ２００のＰＬＭＮ−ＩＤに基づき、ＲＮＣ１０は以下の通りハンドオーバを規制する。
【００５４】
ＵＥ２００のＰＬＭＮ−ＩＤがＸであった場合、図１１のデータベースによりＵＥ２００はセル１６０へのアクセスを規制されるため、ＲＮＣ１０はＵＥ２００をセル１６０にハンドオーバさせないよう規制する。
ＵＥ２００のＰＬＭＮ−ＩＤがＹであった場合、図１１のデータベースによりＵＥ２００はセル１４０へのアクセスを規制されるため、ＲＮＣ１０はＵＥ２００をセル１４０にハンドオーバさせないよう規制する。
ＵＥ２００のＰＬＭＮ−ＩＤがＺであった場合、図１１のデータベースによりＵＥ２００はセル１２０へのアクセスを規制されるため、ＲＮＣ１０はＵＥ２００をセル１２０にハンドオーバさせないよう規制する。
【００５５】
本例では、第７の実施例と同等な効果がある。
【００５６】
本発明の第１０の実施例として、その基本的構成は先の実施例の通りであるが、ＲＮＣ１０で用意するデータベースを工夫している。このデータベースの内容は図１２に示されている。このデータベースでは、セル毎に、アクセスが禁止されているＵＥのＰＬＭＮ−ＩＤを登録するようにする。
【００５７】
図１において、ＲＮＣ１０がＵＥ２００のハンドオーバ処理を制御する際、図１２のデータベースを参照し、ＵＥ２００がアクセス可能なエリアを予め判断する。ＵＥ２００がセル１３０に在圏して通信中の場合、セル１２０、セル１４０、セル１６０が隣接しているが、ＵＥ２００のＰＬＭＮ−ＩＤに基づき、ＲＮＣ１０は以下の通りハンドオーバを規制する。
【００５８】
ＵＥ２００のＰＬＭＮ−ＩＤがＸであった場合、図１２のデータベースによりＵＥ２００はセル１２０へのアクセスを規制されるため、ＲＮＣ１０はＵＥ２００をセル１２０にハンドオーバさせないよう規制する。
ＵＥ２００のＰＬＭＮ−ＩＤがＹであった場合、図１２のデータベースによりＵＥ２００はセル１４０へのアクセスを規制されるため、ＲＮＣ１０はＵＥ２００をセル１４０にハンドオーバさせないよう規制する。
ＵＥ２００のＰＬＭＮ−ＩＤがＺであった場合、図１２のデータベースによりＵＥ２００はセル１６０へのアクセスを規制されるため、ＲＮＣ１０はＵＥ２００をセル１６０にハンドオーバさせないよう規制する。
【００５９】
本例では、第８の実施例と同等な効果がある。
【００６０】
本発明は、図１に示した様なシステムの他に、一つのＵＭＴＳネットワークを複数のオペレータで共有するケース（ＭＶＮＯ（Mobile Virtual Network Operator ）等）にも適用が可能であり、また、あるＵＭＴＳネットワークを保有するオペレータが、複数の隣接ＧＳＭネットワークのオペレータとローミング契約を結んでいるようなケースにも適用可能である。
【００６１】
なお、上記実施例におけるＲＮＣの動作は、その動作手順をプログラムとしてＲＯＭなどの記録媒体に格納しておき、これをコンピュータに読み取らせて実行させる様に構成できることは明白である。
【図面の簡単な説明】
【００６２】
【図１】本発明が適用されるシステム構成の例を示す図である。
【図２】図１のＲＮＣ１０の概略機能ブロック図である。
【図３】本発明の第１の実施例でのデータベースの内容を示す図である。
【図４】本発明の第２の実施例でのデータベースの内容を示す図である。
【図５】本発明の第３の実施例でのデータベースの内容を示す図である。
【図６】本発明の第４の実施例でのデータベースの内容を示す図である。
【図７】本発明の第５の実施例でのデータベースの内容を示す図である。
【図８】本発明の第６の実施例でのデータベースの内容を示す図である。
【図９】本発明の第７の実施例でのデータベースの内容を示す図である。
【図１０】本発明の第８の実施例でのデータベースの内容を示す図である。
【図１１】本発明の第９の実施例でのデータベースの内容を示す図である。
【図１２】本発明の第１０の実施例でのデータベースの内容を示す図である。
【符号の説明】
【００６３】
１０，２０  ＲＮＣ
１１  データベース
１２  データベース参照部
１３  ハンドオーバ規制判定部
１４  ハンドオーバ処理部
３０  ＢＳＣ
１００，１１０，１２０，１３０，
１４０，１５０，１６０，１７０，  セル
２００  ＵＥ
３００，３１０，３２０  ＮｏｄｅＢ
３３０  ＢＴＳ
４００，４１０，４２０  ＣＮ
【図１】
0004706504.tif 000002
【図２】
0004706504.tif 000003
【図３】
0004706504.tif 000004
【図４】
0004706504.tif 000005
【図５】
0004706504.tif 000006
【図６】
0004706504.tif 000007
【図７】
0004706504.tif 000008
【図８】
0004706504.tif 000009
【図９】
0004706504.tif 000010
【図１０】
0004706504.tif 000011
【図１１】
0004706504.tif 000012
【図１２】
0004706504.tif 000013